Podtech/llm-jp-corpus-v4-ja_patent huggingface dataset:
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】
払出部(２４)に供給された容器(２０)にメダルを払い出すメダル払出装置(１８)、
前記容器(２０)に収納された前記メダルの量を検出する収納量検出装置(４６)、
前記収納量検出装置(４６）が所定量のメダルの量を検出したとき、払出装置(１８)の停止信号(Ｓ)を出力する溢れ防止装置(５０)、
及びメダル払出装置(１８)を起動する残量払出装置(５２)、
を有するメダル貸出装置。
【請求項２】
さらに、払い出し信号に基づいてメダルを収納する容器(２０)を一個ずつ前記払出部(２４)に供給する容器供給装置(２２)を有する請求項１のメダル貸出装置。
【請求項３】
前記溢れ防止装置(５０)は、前記収納量検出装置(４６)が所定量のメダルを検出したとき、前記払出装置(１８)の停止信号(Ｓ)及び前記払出部(２４)の容器の(２０)の除去信号(Ｄ)を出力することを特徴とする請求項1又は２のメダル貸出装置。
【請求項４】
さらに、前記払出部(２４)の容器(２０)の有無を検出する容器検出装置(４４)を備える請求項１ないし３のメダル貸出装置。
【請求項５】
前記残量払出装置(５２)は、前記容器検出装置(４４)の容器無し信号(Ｎ)に基づいて前記容器供給装置(２２)及びメダル払出装置(１８)を起動することを特徴とする請求項４のメダル貸出装置。
【請求項６】
払い出し信号に基づいてメダルを収納する容器(２０)を一個ずつ前記払出部(２４)に供給する容器供給装置(２２)、
払出部(２４)に供給された容器(２０)に前記メダルを払い出すメダル払出装置(１８)、
前記容器(２０)に収納された前記メダルの量を検出する収納量検出装置(４６)、
前記収納量検出装置(４６）が所定量のメダルの量を検出したとき、払出装置(１８)の停止信号(Ｓ)を出力する溢れ防止装置(５０)、
払出部(２４)の容器(２０)の有無を検出する容器検出装置(４４)、
前記容器検出装置(４４)の容器無し信号(Ｎ)に基づいてメダル払出装置(１８)を起動する残量払出装置（５２）、
を有するメダル貸出装置。
【請求項７】
さらに、表示装置(２６)を備え、前記除去信号(Ｄ)に基づいてこの表示装置(２６)に容器(２０)の取り出しを促す表示を行う請求項６のメダル貸出装置。
【請求項８】
前記収納量検出装置(４６)が前記メダル払出装置(１８)からの払い出し数をカウントするカウンタである請求項１ないし７のメダル貸出装置。
【手続補正２】
【補正対象書類名】明細書
【補正対象項目名】０００６
【補正方法】変更
【補正の内容】
【０００６】
【課題を解決するための手段】
この目的を達成するため、本発明にかかるメダル貸出装置は以下のように構成されている。
払出部に供給された容器にメダルを払い出すメダル払出装置、前記容器に収納された前記メダルの量を検出する収納量検出装置、前記収納量検出装置が所定量のメダルの量を検出したとき、払出装置の停止信号を出力する溢れ防止装置、及びメダル払出装置を起動する残量払出装置を、有するメダル貸出装置である。
【手続補正３】
【補正対象書類名】明細書
【補正対象項目名】０００７
【補正方法】変更
【補正の内容】
【０００７】
この構成において、払出部に供給された容器にメダルが払出装置によって払い出され、容器内のメダルの収納量が収納量検出装置によって検出される。この検出量が所定量になったときに溢れ防止装置によってメダル払出装置が停止されてメダルの払い出しが中断される。
結果として、メダルが容器から溢れることがなく、利用者にとって便利である。
中断後、残量払出装置によってメダル払出装置が起動され、残りのメダルが払い出される。
【手続補正４】
【補正対象書類名】明細書
【補正対象項目名】０００８
【補正方法】変更
【補正の内容】
【０００８】
さらに、払い出し信号に基づいてメダルを収納する容器を一個ずつ前記払出部に供給する容器供給装置を有するものである。
また前記溢れ防止装置は、前記収納量検出装置が所定量のメダルを検出したとき、前記払出装置の停止信号及び前記払出部の容器の除去信号を出力するようにしたものである。
さらに、前記払出部の容器の有無を検出する容器検出装置を備えるものである。
また、前記残量払出装置は、前記容器検出装置の容器無し信号に基づいて前記容器供給装置及びメダル払出装置を起動するものである。
また払い出し信号に基づいてメダルを収納する容器を一個ずつ前記払出部に供給する容器供給装置、払出部に供給された容器に前記メダルを払い出すメダル払出装置、前記容器に収納された前記メダルの量を検出する収納量検出装置、前記収納量検出装置が所定量のメダルの量を検出したとき、払出装置の停止信号を出力する溢れ防止装置、払出部の容器の有無を検出する容器検出装置、
前記容器検出装置の容器無し信号に基づいてメダル払出装置を起動する残量払出装置を、有するメダル貸出装置としたものである。
このように構成することにより、容器の除去信号によって取り出し表示や音声ガイド等によって容器の取り出しを促し、或いは自動的に移動させて払出部から容器を移動させる。
また払出部から満杯の容器がなくなったことを容器検出装置が検知すると、残量払出装置によって再び容器払出装置が作動されて払出部に新たな容器が供給され、さらにメダル払出装置が作動されてその容器に残りのメダルが払い出される。
【手続補正５】
【補正対象書類名】明細書
【補正対象項目名】００２９
【補正方法】変更
【補正の内容】
【００２９】
次にステップS4に進み、容器検出装置44からの容器20の存在信号を判定する。容器存在信号が無い場合、ステップＳ5に進み、容器供給装置22の作動から所定時間経過したか判断する。
ステップＳ5において、所定時間経過した場合、換言すれば容器供給装置22が作動した後所定時間経過しても容器20が払出部24に存在しない場合、表示装置26にエラー表示をし、全ての処理を中断する異常処理を行って待機状態になる。
【手続補正６】
【補正対象書類名】明細書
【補正対象項目名】００３５
【補正方法】変更
【補正の内容】
【００３５】
次にステップS12において、容器検出装置44からの信号に基づいて払出部に24における容器20の有無を判断する。
換言すれば、容器検出装置44からの容器無し信号Ｎによってフル容器20が取り出されたことを判断する。
ステップS12において、容器20が存在する場合、ステップS13に進み、所定時間経過したか判定される。
【手続補正７】
【補正対象書類名】明細書
【補正対象項目名】００３８
【補正方法】変更
【補正の内容】
【００３８】
５０００円の金額決定ボタン48が押され、払出枚数が800に設定された場合、ステップＳ10からＳ15の処理が２回行われる。
すなわち、メダルの払出枚数が３００枚を超える毎にステップS10からS15の処理が1回行われる。
【手続補正８】
【補正対象書類名】図面
【補正対象項目名】図２
【補正方法】変更
【補正の内容】
【図２】
2004248876.tif 000001
【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【特許請求の範囲】
【請求項１】
先端に発光素子を備えた先端部と、柔軟な管状部材で形成した可撓管部とで構成される挿入部を有した内視鏡において、
細長な放熱部材を備え、
前記先端部の前記発光素子近傍に前記放熱部材の一端を配置し、前記可撓管部側に前記放熱部材の他端を配置することを特徴とする内視鏡。
【請求項２】
前記放熱部材の一端は、前記先端部内に配置されることを特徴とする請求項１記載の内視鏡。
【請求項３】
前記先端部と前記可撓管部との間には、湾曲部が設けられていることを特徴とする請求項１又は２記載の内視鏡。
【請求項４】
前記放熱部材の他端は、前記可撓管部内に配置されることを特徴とする請求項１乃至３記載の内視鏡。
【請求項５】
前記放熱部材は、熱伝導率が高く、柔軟性を有した部材であることを特徴とする請求項１記載の内視鏡。
【請求項６】
前記放熱部材は、複数束ねて形成した束線部材であることを特徴とする請求項１又は５記載の内視鏡。
【請求項７】
前記束線部材を形成する素線は、直径が０．１ｍｍ以下であることを特徴とする請求項６記載の内視鏡。
【請求項８】
前記束線部材は、より線或いは網状に構成することを特徴とする請求項７記載の内視鏡。
【請求項９】
前記束線部材は、前記先端部に所定間隔で所定数配置することを特徴とする請求項７記載の内視鏡。
【請求項１０】
先端に発光素子を備えた先端部と、前記先端部と連設する硬性チューブとを備えた内視鏡において、
細長な放熱部材を備え、
前記先端部に備えた前記発光素子近傍に前記放熱部材の一端を配置し、前記硬性チューブ側に前記放熱部材の他端を配置することを特徴とする内視鏡。
【請求項１１】
前記放熱部材は、熱伝導率が高く、硬質な棒状部材であることを特徴とする請求項１０記載の内視鏡。
【手続補正２】
【補正対象書類名】明細書
【補正対象項目名】０００９
【補正方法】変更
【補正の内容】
【０００９】
【課題を解決するための手段】
本発明の請求項１は、先端に発光素子を備えた先端部と、柔軟な管状部材で形成した可撓管部とで構成される挿入部を有した内視鏡において、細長な放熱部材を備え、前記先端部の前記発光素子近傍に前記放熱部材の一端を配置し、前記可撓管部側に前記放熱部材の他端を配置している。
本発明の請求項２は、請求項１記載の放熱部材の一端は、前記先端部内に配置されている。
本発明の請求項３は、請求項１又は２記載の前記先端部と前記可撓管部との間には、湾曲部が設けられている。
本発明の請求項４は、請求項１乃至３記載の放熱部材の他端は、前記可撓管部内に配置されている。
本発明の請求項５は、請求項１記載の放熱部材は、熱伝導率が高く、柔軟性を有した部材である。
本発明の請求項６は、請求項１又は５記載の放熱部材は、複数束ねて形成した束線部材である。
本発明の請求項７は、請求項６記載の束線部材を形成する素線は、直径が０．１ｍｍ以下である。
本発明の請求項８は、請求項７記載の束線部材は、より線或いは網状に構成されている。
本発明の請求項９は、請求項７記載の束線部材は、前記先端部に所定間隔で所定数配置している。
【手続補正３】
【補正対象書類名】明細書
【補正対象項目名】００１０
【補正方法】変更
【補正の内容】
【００１０】
本発明の請求項１０は、先端に発光素子を備えた先端部と、前記先端部と連設する硬性チューブとを備えた内視鏡において、細長な放熱部材を備え、前記先端部に備えた前記発光素子近傍に前記放熱部材の一端を配置し、前記硬性チューブ側に前記放熱部材の他端を配置している。
本発明の請求項１１は、請求項１０記載の放熱部材は、熱伝導率が高く、硬質な棒状部材である。
【手続補正書】
【提出日】平成18年2月17日(2006.2.17)
【手続補正１】
【補正対象書類名】明細書
【補正対象項目名】発明の名称
【補正方法】変更
【補正の内容】
【発明の名称】変化検知表示システム、その表示処理方法、そのプログラム、記憶媒体
【手続補正２】
【補正対象書類名】明細書
【補正対象項目名】特許請求の範囲
【補正方法】変更
【補正の内容】
【特許請求の範囲】
【請求項１】 画像内の予め定められた領域面積に対して、カメラによって撮像された画像の変化が検知された部分の合計面積の割合を算出する算出手段と、
前記算出手段によって算出された合計面積の割合が予め定められたしきい値より大きいか否かを判別する第１の判別手段と、
前記第１の判別手段によって前記合計面積の割合が予め定められたしきい値より大きいと判別された場合、前記合計面積の割合の大きい状態が予め定められた時間より継続するか否かを判別する第２の判別手段と、
前記算出手段によって算出された合計面積の割合をグラフとして表示する表示手段とを有し、
前記表示手段は、前記第１，第２の判別手段による判別結果に従って、前記グラフの表示状態を変更することを特徴とする変化検知表示システム。
【請求項２】  前記表示手段は、前記第１，第２の判別手段による判別結果に従って、前記グラフの表示状態の変更として、前記グラフの色または柄の表示を変更することを特徴とする請求項１記載の変化検知表示システム。
【請求項３】  前記表示手段は、前記第１，第２の判別手段による判別結果に従って、前記グラフの表示状態の変更として、前記グラフの外周の表示状態を変更することを特徴とする請求項１記載の変化検知表示システム。
【請求項４】  画像内の予め定められた領域面積に対して、カメラによって撮像された画像の変化が検知された部分の合計面積の割合を制御装置が算出する算出ステップと、
前記算出ステップによって算出された合計面積の割合が予め定められたしきい値より大きいか否かを前記制御装置が判別する第１の判別ステップと、
前記第１の判別ステップにおいて前記合計面積の割合が予め定められたしきい値より大きいと判別された場合、前記合計面積の割合の大きい状態が予め定められた時間より継続するか否かを前記制御装置が判別する第２の判別ステップと、
前記算出ステップにおいて算出された合計面積の割合をグラフとして表示装置に表示させる表示ステップとを有し、
前記表示ステップにおいて、前記制御装置は、前記第１，第２の判別ステップにおける判別結果に従って、前記グラフの表示状態を変更することを特徴とする変化検知表示システムの表示処理方法。
【請求項５】  前記表示ステップにおいて、前記第１，第２の判別ステップにおける判別結果に従って、前記グラフの表示状態の変更として、前記グラフの色または柄の表示を変更することを特徴とする請求項４記載の変化検知表示システムの表示処理方法。
【請求項６】  前記表示ステップにおいて、前記第１，第２の判別ステップにおける判別結果に従って、前記グラフの表示状態の変更として、前記グラフの外周の表示状態を変更することを特徴とする請求項４記載の変化検知表示システムの表示処理方法。
【請求項７】  請求項４ないし請求項６のいずれかに記載の表示処理方法をコンピュータに実行させるためのプログラム。
【請求項８】  請求項７のプログラムを記憶したコンピュータ読み出し可能な記憶媒体。
【手続補正３】
【補正対象書類名】明細書
【補正対象項目名】０００１
【補正方法】変更
【補正の内容】
【０００１】
【発明の属する技術分野】
本発明は、変化検知表示システムに関し、特にその変化検知処理の結果の表示に関するものである。
【手続補正４】
【補正対象書類名】明細書
【補正対象項目名】０００５
【補正方法】変更
【補正の内容】
【０００５】
本発明は、このような状況のもとでなされたもので、変化検知表示システムにおいて、変化検知設定を容易に行えるようにすることを課題とするものである。
【手続補正５】
【補正対象書類名】明細書
【補正対象項目名】０００６
【補正方法】変更
【補正の内容】
【０００６】
【課題を解決するための手段】
前記課題を解決するため、本発明では、変化検知表示システムを次の（１）のとおりに構成し、その表示処理方法を次の（２）のとおりに構成する。
（１）画像内の予め定められた領域面積に対して、カメラによって撮像された画像の変化が検知された部分の合計面積の割合を算出する算出手段と、
前記算出手段によって算出された合計面積の割合が予め定められたしきい値より大きいか否かを判別する第１の判別手段と、
前記第１の判別手段によって前記合計面積の割合が予め定められたしきい値より大きいと判別された場合、前記合計面積の割合の大きい状態が予め定められた時間より継続するか否かを判別する第２の判別手段と、
前記算出手段によって算出された合計面積の割合をグラフとして表示する表示手段とを有し、
前記表示手段は、前記第１，第２の判別手段による判別結果に従って、前記グラフの表示状態を変更する変化検知表示システム。
（２）画像内の予め定められた領域面積に対して、カメラによって撮像された画像の変化が検知された部分の合計面積の割合を制御装置が算出する算出ステップと、
前記算出ステップによって算出された合計面積の割合が予め定められたしきい値より大きいか否かを前記制御装置が判別する第１の判別ステップと、
前記第１の判別ステップにおいて前記合計面積の割合が予め定められたしきい値より大きいと判別された場合、前記合計面積の割合の大きい状態が予め定められた時間より継続するか否かを前記制御装置が判別する第２の判別ステップと、
前記算出ステップにおいて算出された合計面積の割合をグラフとして表示装置に表示させる表示ステップとを有し、
前記表示ステップにおいて、前記制御装置は、前記第１，第２の判別ステップにおける判別結果に従って、前記グラフの表示状態を変更する変化検知表示システムの表示処理方法。
【手続補正６】
【補正対象書類名】明細書
【補正対象項目名】０００７
【補正方法】削除
【補正の内容】
【手続補正書】
【提出日】平成18年1月5日(2006.1.5)
【手続補正１】
【補正対象書類名】明細書
【補正対象項目名】請求項５
【補正方法】変更
【補正の内容】
【請求項５】
ユーザの入力操作を受け付ける操作部と、
人物像を含む撮影画像データを受信する手段と、
受信した撮影画像データを表示する表示部と、
前記操作部による操作情報および人物像を含む撮影画像データを送信する手段と、
受信した撮影画像データから人物像データを抽出する手段と、
前記操作情報に応じて用意された背景画像データを記憶しておく手段と、
前記操作情報を受信したとき、その操作情報に対応した背景画像データを読み出すとともに受信撮影画像データから人物像データを抽出し、この人物像データを前記背景画像データと合成して前記表示部に表示する手段と、
を備えたことを特徴とするテレビ電話端末装置。
【手続補正２】
【補正対象書類名】明細書
【補正対象項目名】００１０
【補正方法】変更
【補正の内容】
【００１０】
本発明によるテレビ電話端末装置は、ユーザの入力操作を受け付ける操作部と、人物像を含む撮影画像データを受信する手段と、受信した撮影画像データを表示する表示部と、前記操作部による操作情報および人物像を含む撮影画像データを送信する手段と、受信した撮影画像データから人物像データを抽出する手段と、前記操作情報に応じて用意された背景画像データを記憶しておく手段と、前記操作情報を受信したとき、その操作情報に対応した背景画像データを読み出すとともに受信撮影画像データから人物像データを抽出し、この人物像データを前記背景画像データと合成して前記表示部に表示する手段とを備えたことを特徴とする。
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】              
【請求項１】
複数のディザパターンの情報、並びに、前記複数のディザパターンに対応して複数のハーフトーンロジックを記憶するメモリと、
使用するディザパターンの情報を取得する取得手段と、
前記取得した情報に対応するハーフトーンロジックを選択する選択手段と、
前記選択したハーフトーンロジックを使用して入力画像にハーフトーン処理を施す処理手段とを有することを特徴とする画像処理装置。
【請求項２】
前記ディザパターンの情報は、ディザパターンの階調数およびサイズを表すことを特徴とする請求項1に記載された画像処理装置。
【請求項３】
前記選択手段は、前記選択したハーフトーンロジックを示すポインタを前記メモリに保存し、前記処理手段は、前記メモリに保存されたポインタが示すハーフトーンロジックを使用することを特徴とする請求項1または請求項2に記載された画像処理装置。
【請求項４】
前記処理手段は、画像のライン単位にハーフトーン処理を実行することを特徴とする請求項1から請求項3の何れかに記載された画像処理装置。
【請求項５】
複数のディザパターンの情報、並びに、前記複数のディザパターンに対応して複数のハーフトーンロジックを記憶するメモリから、使用するディザパターンの情報を取得し、
前記取得した情報に対応するハーフトーンロジックを選択し、
前記選択したハーフトーンロジックを使用して入力画像にハーフトーン処理を施すことを特徴とする画像処理方法。
【請求項６】
前記ディザパターンの情報は、ディザパターンの階調数およびサイズを表すことを特徴とする請求項5に記載された画像処理方法。
【請求項７】
画像処理装置を制御して、請求項5または請求項6に記載された画像処理を実行することを特徴とするコンピュータプログラム。
【請求項８】
請求項7に記載されたコンピュータプログラムが記録されたことを特徴とするコンピュータが読み取り可能な記録媒体。
【手続補正２】
【補正対象書類名】明細書
【補正対象項目名】０００８
【補正方法】変更
【補正の内容】
【０００８】
本発明は、複数のディザパターンの情報、並びに、前記複数のディザパターンに対応して複数のハーフトーンロジックを記憶するメモリから、使用するディザパターンの情報を取得し、前記取得した情報に対応するハーフトーンロジックを選択し、前記選択したハーフトーンロジックを使用して入力画像にハーフトーン処理を施すことを特徴とする。
【手続補正書】
【提出日】平成18年2月1日(2006.2.1)
【手続補正１】
【補正対象書類名】明細書
【補正対象項目名】０００５
【補正方法】変更
【補正の内容】
【０００５】
【課題を解決するための手段】
上記目的を達成するために、本第１発明では、付勢力に抗して回転操作されるハンドルリング（１）と当該ハンドルリング（１）を回転可能に支持する支持体（２，３）とを備える遊技球発射装置のハンドル構造において、ハンドルリング（１）ないし支持体（２，３）の一方に、ハンドルリング（１）ないし支持体（２，３）の他方に向けて移動可能な部分（４２）を有するストッパ部材（４）を配設するとともに、当該ストッパ部材（４）を押圧してハンドルリング（１）ないし支持体（２，３）の他方に向けて移動させて当該他方に所定圧で接触させる押圧部材（５）を、ストッパ部材（４）の移動可能な部分（４２）に対し上記他方と反対側に受け入れ可能としてある。ここで、「反対側」とは、押圧部材を挿入することによってストッパ部材の移動可能な部分を移動させることができる領域を意味する。
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】
ゲーム画面を表示する表示部と、
前記表示部の前方に設けられたメダルテーブルと、
遊戯者が前記ゲーム画面に向けてメダルを投入するメダル投入手段と、
前記表示部の辺の近傍に設けられ、前記メダル投入手段により投入されたメダルが通過可能な複数のチャッカを有するチャッカ部材と、
前記チャッカ部材のチャッカにメダルが通過したことを検出する検出手段とを有し、
前記ゲーム画面の前記表示部の前記辺近傍に、前記チャッカ部材のチャッカに関連づけられた指示標識を表示し、
前記検出手段によりメダルが検出されたチャッカに関連づけられた指示標識に基づいてゲーム態様が変化する
ことを特徴とするゲーム機。
【請求項２】
請求項１記載のゲーム機において、
前記ゲーム画面の前記辺近傍に表示された前記指示標識が時間的に変動し、
前記チャッカ部材の複数のチャッカへの入賞価値が、前記指示標識の変動に応じて時間的に変動する
ことを特徴とするゲーム機。
【請求項３】
請求項１記載のゲーム機において、
前記ゲーム画面の前記辺近傍において前記指示標識が移動することにより、前記チャッカ部材の複数のチャッカへの入賞価値が時間的に変動する
ことを特徴とするゲーム機。
【請求項４】
請求項１乃至３のいずれか１項に記載のゲーム機において、
前記検出手段によりメダルが検出されたときには、メダルが検出されたチャッカに関連づけられた前記指示標識が変化する
ことを特徴とするゲーム機。
【請求項５】
請求項１乃至３のいずれか１項に記載のゲーム機において、
前記検出手段によりメダルが検出されたときには、メダルが検出されたチャッカに関連づけれた領域の画像が変化する
ことを特徴とするゲーム機。
【請求項６】
ゲーム画面を表示する表示部と、
前記表示部の前方に設けられたメダルテーブルと、
遊戯者が前記ゲーム画面に向けてメダルを投入するメダル投入手段と、
前記表示部の辺の近傍に設けられ、前記メダル投入手段により投入されたメダルが通過可能な複数のチャッカを有するチャッカ部材と、
前記チャッカ部材のチャッカにメダルが通過したことを検出する検出手段とを有し、
前記ゲーム画面の前記表示部の前記辺近傍に、前記チャッカ部材のチャッカに関連づけられた指示標識を表示し、
前記検出手段によりメダルが検出されたときには、メダルが検出されたチャッカに関連づけられた指示標識に基づいて抽選を行い、その抽選結果により前記チャッカへの入賞価値が決定する
ことを特徴とするゲーム機。
【請求項７】
ゲーム画面を表示する表示部と、
前記表示部の前方に設けられたメダルテーブルと、
遊戯者が前記ゲーム画面に向けてメダルを投入するメダル投入手段と、
前記表示部の辺の近傍に設けられ、前記メダル投入手段により投入されたメダルが通過可能な複数のチャッカを有するチャッカ部材と、
前記チャッカ部材のチャッカにメダルが通過したことを検出する検出手段とを有し、
前記ゲーム画面の前記表示部の前記辺近傍に、前記チャッカ部材のチャッカに関連づけられた指示標識を表示し、
前記検出手段によりメダルが検出されたときには、メダルが検出されたチャッカに関連 
づけられた指示標識に基づいて抽選を行い、その抽選結果によりゲームの進行に関するパラメータを変動させる
ことを特徴とするゲーム機。
【請求項８】
ゲーム画面を表示する表示部と、
前記表示部の近傍に設けられ、所定のチェックポイントが配置されたフィールドと、
前記表示部の前記所定のチェックポイント近傍の領域に所定の指示標識を表示する指示標識制御手段と、
所定の条件に応じて前記指示標識の種類又は表示位置の少なくともいずれかを変更する指示標識変更手段と、
遊戯者が所定の操作を行うことにより前記フィールド内に遊戯用移動物体を投入する物体投入手段と、
前記所定のチェックポイントを前記遊戯用移動物体が通過したことを検知する物体通過検知手段と、
前記物体通過検知手段により前記所定のチェックポイントを前記遊戯用移動物体が通過したことを検知したとき、前記所定のチェックポイントと前記指示標識が所定の位置関係にあると判断された場合は、前記指示標識の種類を判断する指示標識判断手段と、
前記指示標識判断手段の判断結果に基づいて、前記表示部に表示されるゲームの進行を制御するゲーム進行制御手段とを有し、
前記表示部に、ターゲットキャラクタを表示し、前記表示部の前記チェックポイントの近傍の領域に、前記ターゲットキャラクタと関連づけられた指示標識であるキャラクタ指示標識を表示し、
前記指示標識判断手段により判断された指示標識が前記キャラクタ指示標識である場合、前記ゲーム進行制御手段は、前記ターゲットキャラクタに対して設定されているパラメータを変更することによりゲーム進行を制御する 
ことを特徴とするゲーム機。
【請求項９】
ゲーム画面を表示する表示部と、
前記表示部の近傍に設けられ、所定のチェックポイントが配置されたフィールドと、
前記表示部の前記所定のチェックポイント近傍の領域に所定の指示標識を表示する指示標識制御手段と、
所定の条件に応じて前記指示標識の種類又は表示位置の少なくともいずれかを変更する指示標識変更手段と、
遊戯者が所定の操作を行うことにより前記フィールド内に遊戯用移動物体を投入する物体投入手段と、
前記所定のチェックポイントを前記遊戯用移動物体が通過したことを検知する物体通過検知手段と、
前記物体通過検知手段により前記所定のチェックポイントを前記遊戯用移動物体が通過したことを検知したとき、前記所定のチェックポイントと前記指示標識が所定の位置関係にあると判断された場合は、前記指示標識の種類を判断する指示標識判断手段と、
前記指示標識判断手段の判断結果に基づいて、前記表示部に表示されるゲームの進行を制御するゲーム進行制御手段とを有し、
前記指示標識制御手段が、抽選を行うための抽選指示標識を表示し、
前記指示標識判断手段により判断された指示標識が前記抽選指示標識である場合、前記ゲーム進行制御手段は抽選を行い、前記抽選結果に応じて前記指示標識変更手段が前記指示標識の種類を変更し、変更された指示標識の種類に基づいてゲーム進行を制御する
ことを特徴とするゲーム機。 
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正書】
【提出日】平成18年2月20日(2006.2.20)
【手続補正１】
【補正対象書類名】明細書
【補正対象項目名】特許請求の範囲
【補正方法】変更
【補正の内容】
【特許請求の範囲】
【請求項１】
上部開口部が底部より大きい面積を有する容器と、該容器に収納された加熱調理される調理材料と、前記容器の開口部縁の全周囲に亘り溶着し、該容器の内側側面に沿って押し込まれた該容器の外部と内部を隔てるフィルムを有し、
該フィルムは２層からなり前記容器外側に面する第１層と、前記容器内側に面する第２層から構成され、第１層は第２層に比して強度が強い材質であり、第２層は第１層に比して熱に溶け易い材質であることを特徴とする膨化穀物用容器。
【請求項２】
上部開口部が底部より大きい面積を有する容器と、該容器に収納された加熱調理される調理材料と、前記容器の開口部縁の全周囲に亘り溶着され、該容器の内側側面に沿って押し込まれた該容器の外部と内部を隔てるフィルムとから構成され、該フィルムの前記容器の開口部縁の全周囲に亘る溶着面の一部に非溶着部を備えた薄い溶着部を有することを特徴とする膨化穀物用容器。
【手続補正書】
【提出日】平成18年2月9日(2006.2.9)
【手続補正１】
【補正対象書類名】明細書
【補正対象項目名】発明の名称
【補正方法】変更
【補正の内容】
【発明の名称】信号処理装置
【手続補正２】
【補正対象書類名】明細書
【補正対象項目名】特許請求の範囲
【補正方法】変更
【補正の内容】
【特許請求の範囲】
【請求項１】  映像信号を記録する信号処理装置であって、
前記映像信号を処理する信号処理手段と、
前記信号処理手段による処理のために前記映像信号を一時的に記憶する第１のメモリと、
前記信号処理手段により処理された映像信号を記録再生する記録再生手段と、
制御プログラムを格納する第２のメモリと、
前記第２のメモリに格納された制御プログラムに従い、前記信号処理手段の動作を含む前記装置の動作を制御する制御手段とを備え、
装置外部より入力された前記制御プログラムの書き換え用データを用いて前記第２のメモリに格納された制御プログラムを書き換える書き換え動作時において、前記制御手段は、前記信号処理手段による処理を停止させた後、前記入力された書き換え用データを前記第１のメモリに記憶し、前記第１のメモリに記憶された書き換え用データを用いて前記第２のメモリに格納された制御プログラムを書き換えることを特徴とする信号処理装置。
【請求項２】  前記第２のメモリは前記制御プログラムの書き換えプログラムを格納しており、前記制御手段は前記書き換え動作時において、前記第２のメモリに格納されている前記書き換えプログラムを前記第１のメモリに記憶すると共に、前記第１のメモリに記憶された書き換えプログラムに従って前記第２のメモリに格納された制御プログラムを書き換えることを特徴とする請求項１に記載の信号処理装置。
【請求項３】  映像信号を処理する信号処理手段と、
前記信号処理手段による処理のために前記映像信号を一時的に記憶する第１のメモリと、
前記信号処理手段により処理された映像信号を記録再生する記録再生手段と、
制御プログラムと、前記制御プログラムの書き換えプログラムとを格納する第２のメモリと、
前記第２のメモリに格納された制御プログラムに従い、前記信号処理手段の動作を含む前記装置の動作を制御する制御手段とを備え、
前記第２のメモリに格納された制御プログラムを書き換える書き換え動作時において、前記制御手段は、前記信号処理手段による処理を停止させた後、前記第２のメモリに格納された前記書き換えプログラムを前記第１のメモリに記憶し、前記第１のメモリに記憶された書き換えプログラムに従って前記第２のメモリに格納された制御プログラムを書き換えることを特徴とする信号処理装置。
【手続補正３】
【補正対象書類名】明細書
【補正対象項目名】０００１
【補正方法】変更
【補正の内容】
【０００１】
【発明の属する技術分野】
本発明は、例えばフラッシュＲＯＭ等のメモリのプログラム又はデータを書き換えることのできる信号処理装置に関する。
【手続補正４】
【補正対象書類名】明細書
【補正対象項目名】００１１
【補正方法】変更
【補正の内容】
【００１１】
【課題を解決するための手段】
本発明の信号処理装置は、映像信号を記録する信号処理装置であって、前記映像信号を処理する信号処理手段と、前記信号処理手段による処理のために前記映像信号を一時的に記憶する第１のメモリと、前記信号処理手段により処理された映像信号を記録再生する記録再生手段と、制御プログラムを格納する第２のメモリと、前記第２のメモリに格納された制御プログラムに従い、前記信号処理手段の動作を含む前記装置の動作を制御する制御手段とを備え、装置外部より入力された前記制御プログラムの書き換え用データを用いて前記第２のメモリに格納された制御プログラムを書き換える書き換え動作時において、前記制御手段は、前記信号処理手段による処理を停止させた後、前記入力された書き換え用データを前記第１のメモリに記憶し、前記第１のメモリに記憶された書き換え用データを用いて前記第２のメモリに格納された制御プログラムを書き換えることを特徴とする。
また、本発明の信号処理装置は、映像信号を処理する信号処理手段と、前記信号処理手段による処理のために前記映像信号を一時的に記憶する第１のメモリと、前記信号処理手段により処理された映像信号を記録再生する記録再生手段と、制御プログラムと、前記制御プログラムの書き換えプログラムとを格納する第２のメモリと、前記第２のメモリに格納された制御プログラムに従い、前記信号処理手段の動作を含む前記装置の動作を制御する制御手段とを備え、前記第２のメモリに格納された制御プログラムを書き換える書き換え動作時において、前記制御手段は、前記信号処理手段による処理を停止させた後、前記第２のメモリに格納された前記書き換えプログラムを前記第１のメモリに記憶し、前記第１のメモリに記憶された書き換えプログラムに従って前記第２のメモリに格納された制御プログラムを書き換えることを特徴とする。
【手続補正５】
【補正対象書類名】明細書
【補正対象項目名】００４９
【補正方法】削除
【補正の内容】
【手続補正６】
【補正対象書類名】明細書
【補正対象項目名】００５０
【補正方法】削除
【補正の内容】
【手続補正７】
【補正対象書類名】明細書
【補正対象項目名】００５１
【補正方法】削除
【補正の内容】
【手続補正８】
【補正対象書類名】明細書
【補正対象項目名】００５２
【補正方法】削除
【補正の内容】
【手続補正９】
【補正対象書類名】明細書
【補正対象項目名】００５３
【補正方法】削除
【補正の内容】
【手続補正１０】
【補正対象書類名】明細書
【補正対象項目名】００５４
【補正方法】削除
【補正の内容】
【手続補正１１】
【補正対象書類名】明細書
【補正対象項目名】００５５
【補正方法】削除
【補正の内容】
【手続補正１２】
【補正対象書類名】明細書
【補正対象項目名】００５６
【補正方法】削除
【補正の内容】
【手続補正１３】
【補正対象書類名】明細書
【補正対象項目名】００５７
【補正方法】削除
【補正の内容】
【手続補正１４】
【補正対象書類名】明細書
【補正対象項目名】００５８
【補正方法】削除
【補正の内容】
【手続補正１５】
【補正対象書類名】明細書
【補正対象項目名】００５９
【補正方法】削除
【補正の内容】
【手続補正１６】
【補正対象書類名】明細書
【補正対象項目名】００６０
【補正方法】削除
【補正の内容】
【手続補正１７】
【補正対象書類名】明細書
【補正対象項目名】００６１
【補正方法】削除
【補正の内容】
【手続補正１８】
【補正対象書類名】明細書
【補正対象項目名】００６２
【補正方法】削除
【補正の内容】
【手続補正１９】
【補正対象書類名】明細書
【補正対象項目名】００６３
【補正方法】削除
【補正の内容】
【手続補正２０】
【補正対象書類名】明細書
【補正対象項目名】００６４
【補正方法】削除
【補正の内容】
【手続補正２１】
【補正対象書類名】明細書
【補正対象項目名】００６５
【補正方法】削除
【補正の内容】
【手続補正書】
【提出日】平成18年2月7日(2006.2.7)
【手続補正１】
【補正対象書類名】明細書
【補正対象項目名】発明の名称
【補正方法】変更
【補正の内容】
【発明の名称】映像クリップ生成装置、映像クリップ生成方法、プログラム及び記憶媒体
【手続補正２】
【補正対象書類名】明細書
【補正対象項目名】特許請求の範囲
【補正方法】変更
【補正の内容】
【特許請求の範囲】
【請求項１】  撮像方向を制御可能なカメラから映像データを取得する取得手段と、
撮像禁止エリアへの前記カメラの制御の検出通知に応じて、前記取得手段によって取得された映像データを分割することにより、映像クリップを生成する生成手段と、
前記生成手段によって生成された映像クリップを、ネットワークを介して通信可能な端末装置に配信する配信手段と、
を有することを特徴とする映像クリップ生成装置。
【請求項２】  前記生成手段は、撮像禁止エリアへの前記カメラの制御の検出通知に応じて、前記撮像禁止エリアの映像データに代えて、代替映像データを合成して、前記端末装置に配信する映像クリップを生成することを特徴とする請求項１に記載の映像クリップ生成装置。
【請求項３】  映像クリップ生成装置における映像クリップ生成方法であって、
撮像方向を制御可能なカメラから映像データを制御装置が取得する取得ステップと、
撮像禁止エリアへの前記カメラの制御の検出通知に応じて、前記取得ステップにおいて取得された映像データを分割することにより、映像クリップを前記制御装置が生成する生成ステップと、
前記生成ステップにおいて生成された映像クリップを、前記制御装置がネットワークを介して通信可能な端末装置に配信する配信ステップと、
を有することを特徴とする映像クリップ生成方法。
【請求項４】  請求項３に記載の映像クリップ生成方法をコンピュータに実行させるためのプログラム。
【請求項５】  請求項４に記載のプログラムを記憶するコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、映像クリップ生成装置、映像クリップ生成方法、プログラム及び記憶媒体に関するものである。
【手続補正４】
【補正対象書類名】明細書
【補正対象項目名】００１４
【補正方法】変更
【補正の内容】
【００１４】
この発明は、上述した事情を考慮してなされたもので、カメラからの映像情報を、アクセス制御やカメラ制御権を含めて、端末装置向けに適切に配信可能にすることを目的とする。
【手続補正５】
【補正対象書類名】明細書
【補正対象項目名】００１５
【補正方法】変更
【補正の内容】
【００１５】
【課題を解決するための手段】
この発明は、上述した課題を解決すべくなされたもので、撮像方向を制御可能なカメラから映像データを取得する取得手段と、撮像禁止エリアへの前記カメラの制御の検出通知に応じて、前記取得手段によって取得された映像データを分割することにより映像クリップを生成する生成手段と、前記生成手段によって生成された映像クリップを、ネットワークを介して通信可能な端末装置に配信する配信手段と、を有することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】０１４９
【補正方法】削除
【補正の内容】
【手続補正８】
【補正対象書類名】明細書
【補正対象項目名】０１５０
【補正方法】削除
【補正の内容】
【手続補正９】
【補正対象書類名】明細書
【補正対象項目名】０１５１
【補正方法】削除
【補正の内容】
【手続補正１０】
【補正対象書類名】明細書
【補正対象項目名】０１５２
【補正方法】削除
【補正の内容】
【手続補正１１】
【補正対象書類名】明細書
【補正対象項目名】０１５３
【補正方法】削除
【補正の内容】
【手続補正１２】
【補正対象書類名】明細書
【補正対象項目名】０１５４
【補正方法】削除
【補正の内容】
【手続補正１３】
【補正対象書類名】明細書
【補正対象項目名】０１５５
【補正方法】削除
【補正の内容】
【手続補正１４】
【補正対象書類名】明細書
【補正対象項目名】０１５６
【補正方法】削除
【補正の内容】
【手続補正１５】
【補正対象書類名】明細書
【補正対象項目名】０１５７
【補正方法】削除
【補正の内容】
【手続補正１６】
【補正対象書類名】明細書
【補正対象項目名】０１５８
【補正方法】削除
【補正の内容】
【手続補正１７】
【補正対象書類名】明細書
【補正対象項目名】０１５９
【補正方法】削除
【補正の内容】
【手続補正１８】
【補正対象書類名】明細書
【補正対象項目名】０１６０
【補正方法】削除
【補正の内容】
【手続補正１９】
【補正対象書類名】明細書
【補正対象項目名】０１６１
【補正方法】削除
【補正の内容】
【手続補正２０】
【補正対象書類名】明細書
【補正対象項目名】０１６２
【補正方法】削除
【補正の内容】
【手続補正２１】
【補正対象書類名】明細書
【補正対象項目名】０１６３
【補正方法】削除
【補正の内容】
【手続補正２２】
【補正対象書類名】明細書
【補正対象項目名】０１６４
【補正方法】削除
【補正の内容】
【手続補正２３】
【補正対象書類名】明細書
【補正対象項目名】０１６５
【補正方法】削除
【補正の内容】
【手続補正２４】
【補正対象書類名】明細書
【補正対象項目名】０１６６
【補正方法】削除
【補正の内容】
【手続補正２５】
【補正対象書類名】明細書
【補正対象項目名】０１６７
【補正方法】削除
【補正の内容】
【手続補正２６】
【補正対象書類名】明細書
【補正対象項目名】０１６８
【補正方法】削除
【補正の内容】
【手続補正２７】
【補正対象書類名】明細書
【補正対象項目名】０１６９
【補正方法】削除
【補正の内容】
【手続補正２８】
【補正対象書類名】明細書
【補正対象項目名】０１７０
【補正方法】削除
【補正の内容】
【手続補正２９】
【補正対象書類名】明細書
【補正対象項目名】０１７１
【補正方法】変更
【補正の内容】
【０１７１】
【発明の効果】
以上説明したように、本発明によれば、カメラからの映像情報を、アクセス制御やカメラ制御権を含めて、端末装置向けに適切に配信可能にすることができる。
【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】
互いに直交関係にある複数のキャリアで多重化してデータ伝送を行なうＯＦＤＭ伝送方式の通信システムであって、
単一チャネルを複数のサブキャリアで構成される複数のグループに帯域分割する手段と、
各グループの変調方式を決定する手段と、
各グループにおけるスループットを均一化する手段と、
を具備することを特徴とする通信システム。
【請求項２】
互いに直交関係にある複数のキャリアで多重化してデータ伝送を行なうＯＦＤＭ伝送方式の通信装置であって、
単一チャネルを帯域分割して複数のサブキャリアで構成される複数のグループの各々に対して設けられた複数の送信手段及び受信手段と、
前記の複数の受信手段の各々における受信結果に基づいて伝送品質を評価する評価手段と、
前記評価手段における各評価結果に基づいて対応する送信手段における変調方式を決定する手段と、
を具備することを特徴とする通信装置。
【請求項３】
データ伝送を行なう通信装置であって、
単一チャネルを帯域分割して複数のサブキャリアで構成される複数のグループの各々に対して設けられた、送信パケットを互いに直交関係にある複数のキャリアで多重化してそれぞれの変調方式により変調して送信する複数の送信手段と、
グループ間のスループットが均一となるように、送信データからパケットを生成して各グループの送信手段に分配するパケット分配手段と、
を具備することを特徴とする通信装置。
【請求項４】
各グループの送信手段において適用される変調方式は、対応する帯域に含まれるサブキャリアの伝搬路品質に応じて決定される、
ことを特徴とする請求項３に記載の通信装置。
【請求項５】
帯域分割された各グループに含まれるサブキャリア数は、各グループにおいて適用される変調方式の変調レートに応じて決定される、
ことを特徴とする請求項３に記載の通信装置。
【請求項６】
前記パケット分配手段は、各グループにおいて適用される変調方式の変調レートに応じた連結数で、各グループの送信手段に固定長パケットを分配する、
ことを特徴とする請求項３に記載の通信装置。
【請求項７】
前記パケット分配手段は、各グループにおいて適用される変調方式の変調レートに応じたデータ・サイズでパケットを生成し、各グループの送信手段に分配する、
ことを特徴とする請求項３に記載の通信装置。
【請求項８】
伝搬路における遅延広がりτにより定まる落ち込み間隔１／τよりも狭い間隔で、単一チャネルが帯域分割され複数のグループが構成される、
ことを特徴とする請求項３に記載の通信装置。
【請求項９】
受信側からの再送要求に応じてデータ再送を制御するデータ再送制御手段をさらに備える、
ことを特徴とする請求項３に記載の通信装置。
【請求項１０】
前記データ再送制御手段は、送信待ちパケットの中で再送パケットを優先して送信する、
ことを特徴とする請求項３に記載の通信装置。
【請求項１１】
前記データ再送制御手段は、各グループにおいて受信される再送要求回数を計数し、再送要求回数に応じてグループを優先順位付けし、優先順位の高いグループから再送パケットを送信する、
ことを特徴とする請求項３に記載の通信装置。
【請求項１２】
データ伝送を行なう通信方法であって、
単一チャネルを帯域分割して複数のサブキャリアで構成される複数のグループの各々に対して設けられた、送信パケットを互いに直交関係にある複数のキャリアで多重化してそれぞれの変調方式により変調して送信する複数の送信ステップと、
グループ間のスループットが均一となるように、送信データからパケットを生成して各グループに分配するパケット分配ステップと、
を具備することを特徴とする通信方法。
【手続補正書】
【提出日】平成18年2月2日(2006.2.2)
【手続補正１】
【補正対象書類名】明細書
【補正対象項目名】発明の名称
【補正方法】変更
【補正の内容】
【発明の名称】カメラ設定装置、カメラ設定方法およびプログラム
【手続補正２】
【補正対象書類名】明細書
【補正対象項目名】特許請求の範囲
【補正方法】変更
【補正の内容】
【特許請求の範囲】
【請求項１】  カメラ装置によって撮影された映像の変化検知処理を行うためのパラメータの設定を行うカメラ設定装置であって、
前記カメラ装置から前記撮影された映像を取得する取得手段と、
前記取得された映像を一時記憶する映像記憶手段に記憶された映像を再生表示する表示手段とを有し、
前記表示手段は、
前記映像の再生の開始、前記再生される映像の変化検知処理を行うためのパラメータ変更、および前記変更されたパラメータの前記カメラ装置への通知を行うための設定パネルを表示することを特徴とするカメラ設定装置。
【請求項２】  前記変化検知処理は動き検知処理であり、前記取得された映像に、前記動き検知処理により動きを検知した部分を特定可能なように重畳表示することを特徴とする請求項１記載のカメラ設定装置。
【請求項３】  前記動き検知処理は映像のフレーム間差分処理であり、前記動き検知処理のパラメータには、映像中の領域を指定するための領域指定値と、フレーム間差分閾値と、前記領域指定値により指定された領域中における前記フレーム間差分閾値を超えた部分の面積が一定以上になったときに異常ありとみなす面積閾値とが含まれ、前記映像表示手段は、前記取得された映像に、該映像の前記面積閾値を超えた部分を特定可能なように重畳表示することを特徴とする請求項２記載のカメラ設定装置。
【請求項４】  前記表示手段によって表示される設定パネルは、さらに、前記カメラ装置から前記撮影された映像の一時記憶を開始する時間の設定を行うためのパネルであることを特徴とする請求項１記載のカメラ設定装置。
【請求項５】  カメラ装置によって撮影された映像の変化検知処理を行うためのパラメータの設定を行うカメラ設定装置のカメラ設定方法であって、
前記カメラ装置から前記撮影された映像を処理装置が取得する取得工程と、
前記取得された映像を記憶手段に一時記憶する映像記憶工程と、
前記記憶手段に記憶された映像を再生表示するとともに、前記映像の再生の開始、前記再生される映像の変化検知処理を行うためのパラメータ変更、および前記変更されたパラメータの前記カメラ装置への適用通知を行うための設定パネルを処理装置が表示手段の表示画面に表示する表示工程と、
前記設定パネルにおけるパラメータの適用通知を前記カメラサーバに前記処理装置が通知する通知工程と
を有することを特徴とするカメラ設定装置のカメラ設定方法。
【請求項６】  前記変化検知処理は動き検知処理であり、前記取得された映像に、前記動き検知処理により動きを検知した部分を特定可能なように重畳表示することを特徴とする請求項５記載のカメラ設定方法。
【請求項７】  前記動き検知処理は、映像のフレーム間差分処理であり、前記動き検知処理のパラメータには、映像中の領域を指定するための領域指定値と、フレーム間差分閾値と、前記領域指定値により指定された領域中における前記フレーム間差分閾値を超えた部分の面積が一定以上になったときに異常ありとみなす面積閾値とが含まれ、前記表示工程では、前記取得された映像に、該映像の前記面積閾値を超えた部分を特定可能なように前記表示装置に重畳表示することを特徴とする請求項６記載のカメラ設定装置のカメラ設定方法。
【請求項８】  前記カメラ装置と前記カメラ設定装置とはネットワークを介して接続され、前記取得工程で、前記ネットワークを介して前記撮影された映像を取得しながら、前記パラメータ設定変更工程で、パラメータの設定変更を行うことを特徴とする請求項５記載のカメラ設定装置のカメラ設定方法。
【請求項９】  前記表示工程において表示される設定パネルは、さらに、前記カメラ装置から前記撮影された映像の一時記憶を開始する時間の設定を行うためのパネルであることを特徴とする請求項６記載のカメラ設定装置のカメラ設定方法。
【請求項１０】  請求項５ないし請求項９のいずれか１項に記載のカメラ設定方法を実行するためのコンピュータが実行可能なプログラム。
【手続補正３】
【補正対象書類名】明細書
【補正対象項目名】０００１
【補正方法】変更
【補正の内容】
【０００１】
【発明の属する技術分野】
本発明は、カメラ装置によって撮影された映像の変化検知処理を行うためのパラメータの設定を行うカメラ設定装置、その設定方法およびプログラムに関する。
【手続補正４】
【補正対象書類名】明細書
【補正対象項目名】０００６
【補正方法】変更
【補正の内容】
【０００６】
本発明の目的は、余分な作業を行うことなく、カメラ装置に対して適切なパラメータの設定を行うことができるカメラ設定装置、その設定方法およびプログラムを提供することにある。
【手続補正５】
【補正対象書類名】明細書
【補正対象項目名】０００７
【補正方法】変更
【補正の内容】
【０００７】
【課題を解決するための手段】
本発明は、上記目的を達成するため、カメラ装置によって撮影された映像の変化検知処理を行うためのパラメータの設定を行うカメラ設定装置であって、前記カメラ装置から前記撮影された映像を取得する取得手段と、前記取得された映像を一時記憶する映像記憶手段に記憶された映像を再生表示する表示手段とを有し、前記表示手段は、前記映像の再生の開始、前記再生される映像の変化検知処理を行うためのパラメータ変更、および前記変更されたパラメータの前記カメラ装置への通知を行うための設定パネルを表示することを特徴とする。
本発明は、上記目的を達成するため、カメラ装置によって撮影された映像の変化検知処理を行うためのパラメータの設定を行うカメラ設定装置のカメラ設定方法であって、前記カメラ装置から前記撮影された映像を処理装置が取得する取得工程と、前記取得された映像を記憶手段に一時記憶する映像記憶工程と、前記記憶手段に記憶された映像を再生表示するとともに、前記映像の再生の開始、前記再生される映像の変化検知処理を行うためのパラメータ変更、および前記変更されたパラメータの前記カメラ装置への適用通知を行うための設定パネルを処理装置が表示手段の表示画面に表示する表示工程と、前記設定パネルにおけるパラメータの適用通知を前記カメラサーバに前記処理装置が通知する通知工程とを有することを特徴とする。
本発明は、上記目的を達成するため、上記カメラ設定方法を実行するためのコンピュータが実行可能なプログラムを提供する。